(57)【特許請求の範囲】
【請求項１】
一端縁で互いに接合される平板状の一対のマスク本体部材を備え、
前記マスク本体部材の接合部となる前記一端縁は概凸曲線状であって、前記各マスク本体部材の接合部に近接して、前記接合部の接合線と同方向に延出する概凸曲線状の部分を有するワイヤーを備え、
前記ワイヤーは前記マスク本体部材の上端付近において、前記マスク本体部材上辺方向に屈曲し、
前記ワイヤーは前記マスク本体部材の下端付近において、前記マスク本体部材下辺方向に屈曲する形状を特徴とする、顔装着用のマスクの本体部。
【請求項２】
一端縁で互いに接合される平板状の一対のマスク本体部材を備え、
前記マスク本体部材の接合部となる前記一端縁は概凸曲線状であって、前記マスク本体部材を接合した部分に近接して前記接合した部分の接合線と同方向に延出する略円弧状の部分を有するワイヤーを備え、
前記ワイヤーは上下両端にてそれぞれ左右のワイヤーに分かれて延び、上端で左右に分かれたワイヤーは前記マスク本体部材の上端付近において、前記マスク本体部材左右それぞれの上辺方向に分かれて屈曲し、
下端で左右に分かれたワイヤーは前記マスク本体部材の下端付近において、前記マスク本体部材左右それぞれの下辺方向に屈曲する形状を特徴とする、顔装着用のマスクの本体部。
【発明の詳細な説明】
【技術分野】
【０００１】
本発明は着用者の口及び鼻を覆うマスクの顔を覆う部分（以下、「マスク本体部」）に関するものである。
【背景技術】
【０００２】
着用者の口及び鼻を覆う立体形状のマスクとしては先行発明で以下のものなどがある。
【０００３】
【特許文献１】特許登録４９１７３１２
【特許文献２】特願平６−９６９３４
【発明の概要】
【発明が解決しようとする課題】
【０００４】
前記特許文献にかかるマスクは、鼻背と頬の間に隙間が生じにくい形状である。
【０００５】
また、口に張りつかない立体形状で呼吸が楽である。
【０００６】
しかしながら、該マスクには鼻背と頬の間の形状を保持する固定具がついていないので、顔の動きに合わせて鼻背と頬の間に隙間が生じる可能性を残している。また、着用者の鼻の高さや頬のかたちによっては隙間が生じる可能性がある。
【０００７】
また、該マスクの口に張りつかない立体形状に関して、その形状を保持する固定具はついていないので、風圧の強さや、吸気の吸引力の強さ次第ではマスクの縦中心の凸形状が凹み、口に張りつく可能性を残している。
【０００８】
したがって、本発明の目的は、該マスクやそれに類似する立体マスクの持つ、鼻背と頬の間に隙間を生じさせない形状を有し、鼻背と頬の間に位置する部分が固定でき、マスクの縦中心の凸形状が風圧や吸気の引力程度の外圧では凹まないマスクを提供することである。
【課題を解決するための手段】
【０００９】
上記課題を解決するため、前述の該マスクと同等あるいは類似する形状のマスク（以下、「旧来の立体マスク」）のマスク本体部に、右ワイヤーと左ワイヤーからなる２片のC字形のワイヤーを、右ワイヤーは該マスク本体部の右上辺の一部に渡り、該マスク本体部の上辺の中央付近では曲線を描き、該マスク本体部の縦中心である接合線をなぞり、該マスク本体部の下辺中央付近で曲線を描き、右下辺の一部に渡って配置され、左ワイヤーは該マスク本体部の左上辺の一部に渡り、該マスク本体部の上辺の中央付近では曲線を描き、該マスク本体部の縦中心である接合線をなぞり、該マスク本体部の下辺中央付近で曲線を描き、左下辺一部に渡って配置されていることを特徴とするマスクの本体部を提供する。
【００１０】
本発明のマスク本体部は、形成素材を不織布に限定しない。布や紙、樹脂、ポリエチレン、ウレタンのような、本発明のマスク本体部の形状を形成させることが可能な素材で作られたマスクは本発明によるものとする。
【００１１】
また、本発明のマスク本体部のワイヤーは金属製に限定しない。樹脂や竹ひご、紙芯、ウレタンなどを用いてもよく、本発明のマスク本体部に使用されるワイヤーの形状が基礎であることが明確な類似形状で固定作用を持つ部材を用いたマスクは本発明によるものとする。
【００１２】
また、本発明のマスク本体部のワイヤーは上辺の一部だけでなく上辺全部、及び脇の一部もしくは全体に渡るように配置してもよい。
【００１３】
また、本発明のマスク本体部のワイヤーは下辺の一部だけでなく下辺全部、及び脇の一部もしくは全体に渡るように配置してもよい。
【００１４】
また、本発明のマスク本体部のワイヤーはマスクの縦中心である接合線に対応する箇所が一本化していてもよい。（請求項２）
【００１５】
なお、本発明のマスク本体部を有するマスクを顔面に装着する時の固定部については、マスク本体部と一体であっても別の部材であってもよく、前記特許文献のように左右の耳にかける形状であっても、あるいは帯状に着用者の後頭部まで延びる形状であって固定部の長さを調節することで頭部に固定する形状、その他の方法であってもよく、また、該固定部材の形状、部材がいかなるものであってもよい。
【発明の効果】
【００１６】
本発明によるマスク本体部を用いたマスクは、「旧来の立体マスク」と同様に、鼻背と頬の間に隙間を作りにくくフィット性に優れ、マスクと口に空間がある形状なので口に張りつかないため、口元に張りつくという不快感を解消しているという効果を有する。
【００１７】
以上の特徴に加えて、旧来の立体マスクと異なり、鼻背と頬の間に接する部対線内、着用者の明確である要な構成部材が、されたズボン型下分にワイヤーが配置されているので、着用者に合わせて該部分をフィットさせることができ、且つ、その形状が保持される。また、旧来の立体マスクでは風圧や吸気の引力による外圧で該部分が凹み、口に張りつく可能性を残していたが、本発明によるマスク本体部を用いたマスクはマスクの縦中心である接合線付近に風圧や吸気の引力による外圧を押し返す作用を持ったワイヤーを配置しているで、風圧や吸気の引力による外圧で該部分が凹み口に張りつく可能性を排除している。
【００１８】
さらには、ワイヤーが鼻翼溝をなぞるように鼻翼の上を通るので、水平方向に頬と鼻背をまたいで渡る直線のワイヤーを用いたマスクよりフィット性に優れ、且つ、鼻背をワイヤーがまたぐことで生じる異物感を排除している。また、直線のワイヤーは折り曲げてフィットさせる必要があるが、本発明によるマスク本体部を用いたマスクはその必要がない。
また、一続きのワイヤーが鼻翼と顎を挟んで支持するので表情の動きや運動による振動があってもズレが生じにくい。
【図面の簡単な説明】
【００１９】
【図１】本発明に係るマスク本体部を斜め前から見た斜視図である。（実施形態１）
【図２】本発明に係るマスク本体部を正面から見た図である。（実施形態１）
【図３】本発明に係るマスク本体部を斜め前から見た斜視図である。（実施  形態２）
【図４】本発明に係るマスク本体部を正面から見た図である。（実施形態２）
【図５】本発明に係るマスク本体部を斜め前から見た斜視図である。（実施形態３）
【図６】本発明に係るマスク本体部を正面から見た図である。（実施形態３）
【図７】本発明に係るマスク本体部を正面から見た図である。（実施形態４）
【図８】本発明に係るマスク本体部を正面から見た図である。（実施形態４）
【図９】本発明に係るマスク本体部を正面から見た図である。（実施形態４）
【発明を実施するための形態】
【実施形態１】
【００２０】
実施形態１は本発明の基礎となる形態である。
【００２１】
図１は本発明に係るマスク本体部の実施形態１を斜め前から見た図である。破線はワイヤーを表している。
【００２２】
図２は本発明に係るマスク本体部の実施形態１を正面から見た図である。破線はワイヤーを表している。
【００２３】
実施形態１は「旧来の立体マスク」のマスク本体部と同等あるいは類似の形状を持った布片に右ワイヤーと左ワイヤーからなる２片のC字形のワイヤーを、右ワイヤーは該マスク本体部の右上辺の一部に渡り、該マスク本体部の上辺の中央付近では曲線を描き、該マスク本体部の縦中心である接合線をなぞり、該マスク本体部の下辺中央付近で曲線を描き、右下辺の一部に渡って配置され、左ワイヤーは該マスク本体部の左上辺の一部に渡り、該マスク本体部の上辺の中央付近では曲線を描き、該マスク本体部の縦中心である接合線をなぞり、該マスク本体部の下辺中央付近で曲線を描き、左下辺一部に渡って配置されている。「旧来の立体マスク」のマスク本体部とは、２片の略台形の布片で形成され、該略台形は下底部が凸曲線で、該凸曲線で逢着もしくは接着されているものである。
【実施形態２】
【００２４】
図３は本発明に係るマスク本体部の実施形態２を斜め前から見た図である。破線はワイヤーを表している。
【００２５】
図４は本発明に係るマスク本体部の実施形態２を正面から見た図である。破線はワイヤーを表している
【００２６】
実施形態２は実施形態１の変形で、実施形態１のワイヤーがマスク本体部上辺の一部に渡るものであったのに対し、実施形態２はワイヤーが上辺の全部に渡るものである。また下辺も同様で、実施形態１のワイヤーがマスク本体部下辺の一部に渡るものであったのに対し、実施形態２はワイヤーが下辺の全部に渡るものである。
【実施形態３】
【００２７】
図５は本発明に係るマスク本体部の実施形態３を斜め前から見た図である。破線はワイヤーを表している。
【００２８】
図６は本発明に係るマスク本体部の実施形態２を正面から見た図である。破線はワイヤーを表している
【００２９】
実施形態３は実施形態２の変形で、実施形態２のワイヤーがマスク本体部上辺の全部に渡るものであったのに対し、実施形態３はワイヤーがマスク本体部上辺の全部に加えて脇辺の一部、もしくは全体にまで渡るものである。また下辺も同様で、実施形態２のワイヤーがマスク本体部下辺の全部に渡るものであったのに対し、実施形態３はワイヤーがマスク本体部下辺の全部に加えて脇辺の一部、もしくは全体にまで渡るものである。
【実施形態４】
【００３０】
図７は本発明に係るマスク本体部の実施形態４を正面から見た図である。破線はワイヤーを表している
【００３１】
実施形態４は実施形態１の変形で、実施形態１のワイヤーが２片なるものであったのに対し、実施形態４のワイヤーは中心で一本化した１片からなるものである。
【実施形態５】
【００３２】
図８は本発明に係るマスク本体部の実施形態５を正面から見た図である。破線はワイヤーを表している
【００３３】
実施形態５は実施形態２の変形で、実施形態２のワイヤーが2片からなるものであったのに対し、ワイヤーの中心を一本化した１片からなるものであるが、実施形態３ないし４のいずれについても実施形態５と同様にワイヤーの中心を一本化した一片からなるものである。
【実施形態６】
【００３４】
図９は本発明に係るマスク本体部の実施形態６を正面から見た図である。破線はワイヤーを表している
【００３５】
実施形態６は実施形態３の変形で、実施形態３のワイヤーが2片からなるものであったのに対し、ワイヤーの中心を一本化した１片からなるものである。
【産業上の利用可能性】
【００３６】
本発明は、風圧や吸気の引力程度の外圧では凹まないので顔に張りつかない快適さを有し、マスクが顔に張りついた状態で口元を動かすことで皮膚とマスクが擦れて肌荒れを起こす、あるいはマスクに口紅が付着するという因子を排除しているほか、スポーツをする場合など激しい呼吸を伴う場合でも同様の効果が期待できる。
【００３７】
また、本発明のワイヤーは鼻翼と顎を挟んで支持するので表情の動きや運動による振動があってもズレが生じにくいので、スポーツをする際に着用すれば、従来のズレが生じやすいマスクに比べてパフォーマンスに悪影響を及ぼしにくい。
【要約】
【課題】
立体形状マスクにおいて、マスクのフィット性を向上させ、かつ呼吸時においてマスクと口元との間の空間を確保するための技術を提供する。
【解決手段】
立体形状マスク中央の接合線をなぞる形のワイヤーを設置し、かつ該ワイヤーは該マスク上端付近で左右の上辺方向に屈曲させ、下端付近で左右の下辺方向に屈曲させる。
【選択図】図１【図１】
0006858292.tif 000002
【図２】
0006858292.tif 000003
【図３】
0006858292.tif 000004
【図４】
0006858292.tif 000005
【図５】
0006858292.tif 000006
【図６】
0006858292.tif 000007
【図７】
0006858292.tif 000008
【図８】
0006858292.tif 000009
【図９】
0006858292.tif 000010